(57)【要約】【課題】水栓のデザインをより自由に設計することができる水栓を提供すること。【解決手段】湯及び水を混合する湯水混合弁と、湯水混合弁で混合した湯水の吐水量及び吐水方向を変更する切り替え弁と、が軸方向に並んで内部に設けられた筒状の主管部を備える水栓であって、主管部には、切り替え弁に連通するカラン吐水用開口が形成されており、主管部のカラン吐水用開口に連通するように主管部に取り付けられ、カラン吐水用の流路を形成し、末端に吐水口を形成した吐水ブロックをさらに備え、吐水ブロックが主管部に取り付けられた状態において、吐水ブロックの吐水口は主管部のカラン吐水用開口に対して偏心した位置に配置される。【選択図】図１８
2019082068.tif 000002
【特許請求の範囲】
【請求項１】
湯及び水を混合する湯水混合弁と、前記湯水混合弁で混合した湯水の吐水量及び吐水方向を変更する切り替え弁と、が軸方向に並んで内部に設けられた筒状の主管部を備える水栓であって、前記主管部には、前記切り替え弁に連通するカラン吐水用開口が形成されており、
前記主管部の前記カラン吐水用開口に連通するように前記主管部に取り付けられ、カラン吐水用の流路を形成し、末端に吐水口を形成した吐水ブロックをさらに備え、
前記吐水ブロックが前記主管部に取り付けられた状態において、前記吐水ブロックの前記吐水口は前記主管部の前記カラン吐水用開口に対して偏心した位置に配置される、水栓。
【請求項２】
前記吐水ブロックが前記主管部に取り付けられた状態において、前記吐水ブロックの前記吐水口および前記主管部の前記カラン吐水用開口は下方に向けて開口し、かつ、前記軸方向に互いに偏心した位置に設けられる、請求項１に記載の水栓。
【請求項３】
前記吐水ブロックが前記主管部に取り付けられた状態において、前記吐水ブロックの前記吐水口は、前記主管部の前記カラン吐水用開口に対して前記軸方向において前記主管部の中央側に偏心した位置に設けられる、請求項２に記載の水栓。
【請求項４】
前記吐水ブロックは、前記主管部に取り付けられる中空状の本体部と、前記本体部内に設けられる整流部とを備え、前記本体部および前記整流部は樹脂により一体に構成される、請求項１から３のいずれか１つに記載の水栓。
【請求項５】
前記主管部を含む水栓本体部は、樹脂により一体に構成されている、請求項１から４のいずれか１つに記載の水栓。
【発明の詳細な説明】
【技術分野】
【０００１】
本発明は、水栓に関する。
【背景技術】
【０００２】
従来の水栓には、例えば、特許文献１に記載されているものが知られている。特許文献１には、いわゆるサーモスタット式水栓が開示されている。特許文献１の水栓における水栓本体部は、湯及び水を混合する湯水混合弁（サーモカートリッジ）と、湯水混合弁で混合した湯水の吐水量及び吐水方向を変更する切換弁とを内包している。
【先行技術文献】
【特許文献】
【０００３】
【特許文献１】特開２００６−３２８６７４号公報
【発明の概要】
【発明が解決しようとする課題】
【０００４】
このような水栓においては、湯水混合弁および切換弁を設ける必要があるため、水栓本体部に別の管を接続するための開口の位置などが制限されることが多く、水栓のデザインが制限されやすい。特許文献１に開示されるような構造を含めて、水栓のデザインをより自由に設計することができる水栓の開発が求められている。
【０００５】
本発明の目的は、上記課題を解決することにあって、水栓のデザインをより自由に設計することができる水栓を提供することにある。
【課題を解決するための手段】
【０００６】
上記目的を達成するために、本発明の水栓は、湯及び水を混合する湯水混合弁と、前記湯水混合弁で混合した湯水の吐水量及び吐水方向を変更する切り替え弁と、が軸方向に並んで内部に設けられた筒状の主管部を備える水栓であって、前記主管部には、前記切り替え弁に連通するカラン吐水用開口が形成されており、前記主管部の前記カラン吐水用開口に連通するように前記主管部に取り付けられ、カラン吐水用の流路を形成し、末端に吐水口を形成した吐水ブロックをさらに備え、前記吐水ブロックが前記主管部に取り付けられた状態において、前記吐水ブロックの前記吐水口は前記主管部の前記カラン吐水用開口に対して偏心した位置に配置される。
【発明の効果】
【０００７】
本発明によれば、水栓のデザインをより自由に設計することができる。
【図面の簡単な説明】
【０００８】
【図１】本発明の実施形態に係る水栓の斜視図
【図２】図１の水栓の分解斜視図
【図３】図２の水栓の分解斜視図
【図４Ａ】水栓ユニットの内部の概略構成を示す上方斜視図
【図４Ｂ】水栓ユニットの内部の概略構成を示す下方斜視図
【図４Ｃ】水栓ユニットの内部の概略構成を示す縦断面図
【図５】水栓本体部の概略構成を示す上方斜視図
【図６】水栓本体部の概略構成を示す下方斜視図
【図７】湯水混合弁及び切替弁が取り付けられた水栓本体部の横断面図
【図８】保温材の上方斜視図
【図９】保温材の下方斜視図
【図１０】水栓ユニットの内部の概略構成を示す上方斜視図
【図１１】本体カバーの側面図
【図１２Ａ】第１のカバーの下方斜視図
【図１２Ｂ】第１のカバーの下面図
【図１３】第２のカバーの下面図
【図１４】本体カバーおよび周辺部材の下面図
【図１５】吐水ブロックおよび周辺部材を示す一部拡大縦断面図
【図１６】水栓本体部の下面図
【図１７】水栓本体部の横断面図
【図１８】吐水ブロックの分解斜視図
【図１９】吐水ブロックの本体部の上面図
【図２０】吐水ブロックの本体部の下面図
【図２１】吐水ブロックの本体部の下方斜視図
【図２２】変形例による水栓本体部の横断面図
【発明を実施するための形態】
【０００９】
以下に、本発明に係る実施形態を図面に基づいて詳細に説明する。なお、この実施形態によって本発明が限定されるものではない。
【００１０】
（実施形態）
［全体構成］
図１は、本発明の実施形態に係る水栓１０の斜視図である。本実施形態において、水栓１０は浴室の壁面に取り付けられるサーモスタット式水栓である。図１に示すように、水栓１０は、水栓ユニット２０と、ハンドルユニット５０とを備える。水栓ユニット２０は、吐水を行うためのユニットである。ハンドルユニット５０は、水栓ユニット２０に取り付けられ、水栓ユニット２０の吐水における吐水量、吐水方向、および湯水の混合度合いを変更可能にするユニットである。
【００１１】
＜水栓ユニット＞
図２は、図１の水栓ユニット２０の一部を分解した斜視図である。図３は、図２の水栓ユニット２０をさらに分解した斜視図である。図２及び図３に示すように、水栓ユニット２０は、水栓本体部２１と、保温材２２と、支持部材２３と、ステー２４と、本体カバー２５とを備える。
【００１２】
水栓本体部２１は、内部に水が通る流路を有する部材であって、水栓ユニット２０の本体部を構成する。水栓本体部２１は、保温材２２によって覆われている。保温材２２は、水栓本体部２１の内部の水が凍結することを防止するための部材である。支持部材２３は、水栓本体部２１とステー２４とを接続することにより水栓本体部２１を支持するための部材である。ステー２４は、水栓本体部２１を浴室の壁に固定するための部材である。本体カバー２５は、水栓本体部２１を覆う部材である。
【００１３】
＜水栓本体部＞
図４Ａ、４Ｂ、４Ｃはそれぞれ、水栓本体部２１が保温材２２で覆われていないときの、水栓ユニット２０の内部の概略構成を示す上方斜視図、下方斜視図、縦断面図である。図４Ａ−４Ｃに示すように、水栓本体部２１は、継手２６によって、湯供給源２７及び水供給源２８に接続される。湯供給源２７及び水供給源２８はそれぞれ、浴室の壁面の内側に設けられる給湯管及び給水管である。継手２６には、止水栓６２、６４（図４Ｂ）が取り付けられている。止水栓６２、６４は、湯供給源２７及び水供給源２８からの湯水の供給を止めるための部材である。
【００１４】
図３、図４Ａに示すように、水栓本体部２１には、継手２６とは別の接続部材２９ａが取り付けられる。接続部材２９ａには、シャワーエルボ２９（図３）が取り付けられる。シャワーエルボ２９は、水栓本体部２１にシャワーホース（図示せず）を接続するための部材である。
【００１５】
図３に示すように、水栓本体部２１には、左側から湯水混合弁３０が取り付けられ、右側から切替弁３１が取り付けられる。湯水混合弁３０は、湯と水とを混合して湯水を吐水するための部材である。湯水混合弁３０は、一般的にサーモカートリッジとも呼ばれる。湯水混合弁３０に対して、湯は湯供給源２７（図４Ａ、４Ｂ）から供給され、水は水供給源２８から供給される。切替弁３１は、湯水の吐水量及び吐水方向を変更するための部材である。水栓１０は、湯水混合弁３０及び切替弁３１を備えることで、サーモスタット式水栓と呼ばれる。
【００１６】
図４Ａ、４Ｂに示すように、湯水混合弁３０及び切替弁３１の軸方向外側の端部には、ハンドルユニット５０と係り合うギア部３２が設けられる。湯水混合弁３０側のギア部は、図４Ａ、４Ｂでは図示を省略する。
【００１７】
次に、図５―図７を用いて水栓本体部２１についてより詳細に説明する。図５は、水栓本体部２１の概略構成を示す斜視図である。図６は、図５の水栓本体部２１を異なる角度から見たときの斜視図である。図７は、湯水混合弁３０及び切替弁３１が取り付けられた水栓本体部２１の断面図である。
【００１８】
図５―図７に示すように、水栓本体部２１は、主管部２１０と、湯供給用枝管部２１１と、水供給用枝管部２１２と、カラン吐水用枝管部２１３と、シャワー吐水用枝管部２１４とを備える。さらに図６に示すように、水栓本体部２１は、圧逃がし弁２１５と水抜栓２１６とを備える。
【００１９】
これらの部材を備える水栓本体部２１は、樹脂により一体に形成される。すなわち、主管部２１０、湯供給用枝管部２１１、水供給用枝管部２１２、カラン吐水用枝管部２１３、シャワー吐水用枝管部２１４、圧逃がし弁２１５、及び水抜栓２１６は、同じ樹脂材料を用いた射出成形により同時に成形され、樹脂により一体に形成される。
【００２０】
＜主管部＞
主管部２１０は筒状に形成された管状の部材である。図７に示すように、主管部２１０には、湯水混合弁３０と切替弁３１とが軸方向（Ｙ方向）に並んで内包されている。図７に示す主管部２１０の内壁は湯水混合弁３０と切替弁３１を内包する空間を形成し、軸方向に沿って延びている。金型を用いた樹脂成形のために、主管部２１０の内壁を、軸方向の中心側から端部側に向かって外側に僅かに広がるように傾斜させてもよい（例えば傾斜角度が０．２−０．５度）。主管部２１０の軸方向の両端部には、湯水混合弁３０及び切替弁３１を挿入するための開口がそれぞれ形成される。当該両端部には、ネジ溝２１７が形成される。ネジ溝２１７は、図３に示すキャップ部材３３を取り付けるために設けられる。ネジ溝２１７は、キャップ部材３３の裏側に形成されたネジ山と螺合する。ネジ溝２１７は、主管部２１０と、樹脂により一体に形成される。
【００２１】
図３に示すように、主管部２１０において軸方向の両端部には、ハンドルユニット５０及びカラー３４が、キャップ部材３３を覆うように取り付けられる。カラー３４は、ハンドルユニット５０と主管部２１０の間に配置される。
【００２２】
図５―図７に示すように、本実施形態では、主管部２１０の両端部における外周には、リブ２１８ａ，２１８ａａが設けられる。リブ２１８ａは主管部２１０の左端部に設けられ、リブ２１８ａａは主管部２１０の右端部に設けられる。リブ２１８ａ，２１８ａａは、ネジ溝２１７に隣接しており、ネジ溝２１７よりも主管部２１０の中央寄りで周方向に延在する。リブ２１８ａ，２１８ａａは、主管部２１０と、樹脂により一体に形成される。
【００２３】
本実施形態では、湯供給用枝管部２１１及び水供給用枝管部２１２の壁側の端部には、リブ２１８ｂが設けられる。リブ２１８ｂは、湯供給用枝管部２１１及び水供給用枝管部２１２と、樹脂により一体に形成される。
【００２４】
図７に示すように、主管部２１０の内周部には、リブ２１８ｃが設けられる。リブ２１８ｃは、湯水混合弁３０と切替弁３１との間、すなわち、湯水混合弁３０と切替弁３１が連通する箇所に周方向に延在して形成される。リブ２１８ｃは、主管部２１０と、樹脂により一体に形成される。リブ２１８ｃは、主管部２１０の内部に保たれる水の量を減らす機能を有する。これにより、主管部２１０の内部の水の凍結による主管部２１０の破損を防止することができる。
【００２５】
図５に示すように、主管部２１０の内周部には、湯流入口２１０ａ及び水流入口２１０ｂが形成される。湯流入口２１０ａ及び水流入口２１０ｂは、湯水混合弁３０の周囲に形成された主管部２１０の開口であって、湯水混合弁３０に連通する。さらに、主管部２１０の内周部には、カラン吐水用開口２１０ｃ及びシャワー吐水用開口２１０ｄが形成される。カラン吐水用開口２１０ｃ及びシャワー吐水用開口２１０ｄは、切替弁３１の周囲に形成された主管部２１０の開口であって、切替弁３１に連通する。図４Ａに示すように、カラン吐水用開口２１０ｃ及びシャワー吐水用開口２１０ｄは、主管部２１０の軸方向右端部における外周部（本実施形態ではリブ２１８ａａ）よりも軸方向内側に設けられる。当該外周部は支持部材２３を接続する。
【００２６】
図６に示すように、主管部２１０の下部には締結部２１９が設けられる。締結部２１９は、本体カバー２５（図２）を取り付けるための部材である。具体的には、締結部２１９は、図２、３に示すネジ３００を締結するための孔を形成している。
【００２７】
＜湯供給用枝管部＞
図５に示すように、湯供給用枝管部２１１は、主管部２１０の湯流入口２１０ａを含む位置から分岐して形成された管状の部材である。湯供給用枝管部２１１は、湯供給源２７（図４）からの湯を湯流入口２１０ａを介して主管部２１０へ供給する流路を内部に形成する。すなわち、湯供給用枝管部２１１は、湯供給源２７と主管部２１０の湯流入口２１０ａとを接続し、内部に湯が流れる流路を形成する。
【００２８】
＜水供給用枝管部＞
水供給用枝管部２１２は、主管部の水流入口２１０ｂを含む位置から分岐して形成された管状の部材である。水供給用枝管部２１２は、水供給源２８（図４）からの水を水流入口２１０ｂを介して主管部２１０へ供給する流路を内部に形成する。すなわち、水供給用枝管部２１２は、水供給源２８と主管部２１０の水流入口２１０ｂとを接続し、内部に水が流れる流路を形成する。
【００２９】
湯供給用枝管部２１１及び水供給用枝管部２１２は、主管部２１０から横方向（―Ｘ方向）に延びるとともに、軸方向（Ｙ方向）に並んで設けられる。
【００３０】
＜カラン吐水用枝管部＞
カラン吐水用枝管部２１３は、主管部２１０のカラン吐水用開口２１０ｃを含む位置から分岐して形成された管状の部材である。カラン吐水用枝管部２１３は、湯水を吐水する流路を内部に形成する。本実施形態では、カラン吐水用枝管部２１３は、主管部２１０から下方（―Ｚ方向）に延びるとともに、カラン吐水を行う吐水管である。図４Ａ、図５では図示を省略しているが、カラン吐水用枝管部２１３には吐水ブロック８０（図４Ｂ）が取り付けられる。吐水ブロック８０は、カラン吐水用開口２１０ｃから偏心した位置で吐水を行うための部材である。吐水ブロック８０については後述する。
【００３１】
＜シャワー吐水用枝管部＞
図５に示すように、シャワー吐水用枝管部２１４は、主管部２１０のシャワー吐水用開口２１０ｄを含む位置から分岐して形成された管状の部材である。シャワー吐水用枝管部２１４は、主管部２１０から横方向（―Ｘ方向）に延びるとともに、浴室の壁に向かって延在し、湯水を吐水する流路を内部に形成する。本実施形態では、シャワー吐水用枝管部２１４は、シャワー吐水を行うための吐水管である。図４Ａに示すように、シャワー吐水用枝管部２１４の壁側の端部には接続部材２９ａが取り付けられる。
【００３２】
＜圧逃し弁＞
図４Ｂ、図６に示すように、湯供給用枝管部２１１には圧逃がし弁２１５が接続されている。圧逃がし弁２１５は、湯供給用枝管部２１１の流路に所定以上の圧力がかかったときに開放して、水栓本体部２１内の圧力を外側に逃がすための弁である。本実施形態の圧逃がし弁２１５は、湯供給用枝管部２１１から下方に分岐するように設けられる。
【００３３】
本実施形態では特に、水栓本体部２１を樹脂で一体に形成しているため、金属で形成する場合に比べて強度が低くなっている。このため、ウォーターハンマー現象などによって水栓本体部２１の内部空間を流れる流体の圧力が上昇した場合に、水栓本体部２１が内側から割れて破損するリスクを低減することが好ましい。これに対して、水栓本体部２１に圧逃がし弁２１５を取り付けることで、水栓本体部２１の流路に過剰な圧力がかかることを防止し、水栓本体部２１の破損リスクを低減することができる。
【００３４】
＜水抜栓＞
図４Ｂ、図６に示すように、水供給用枝管部２１２には水抜栓２１６が接続されている。水抜栓２１６は、開放されることで水抜栓２１６の周辺の水を排水し、内部に空気を注入することで水栓本体部２１の内部の水を抜くための部材である。これにより、水栓本体部２１の内部の水が凍結することを防止することができる。本実施形態の水抜栓２１６は、水供給用枝管部２１２から下方に分岐するように設けられる。
【００３５】
＜逆止弁＞
図７に示すように、湯供給用枝管部２１１には逆止弁７０が取り付けられ、水供給用枝管部２１２には逆止弁７２が取り付けられる。逆止弁７０は、湯供給用枝管部２１１から継手２６への湯の逆流を防止する弁であり、逆止弁７２は、水供給用枝管部２１２から継手２６への水の逆流を防止する弁である。
【００３６】
逆止弁７０、７２を設けることによって、湯供給用枝管部２１１および水供給用枝管部２１２の内部空間は流体の逆流が防止され、圧力が上昇しやすい領域となる。さらに、湯供給用枝管部２１１および水供給用枝管部２１２は水栓本体部２１において最も上流側に位置していることもあり、圧力が高くなりやすい。このような流路に連通するように圧逃がし弁２１５および水抜栓２１６を接続することで、圧力の上昇しやすい空間において、圧力上昇を効果的に抑制することができる。
【００３７】
特に本実施形態では、水供給用枝管部２１２には水抜栓２１６を接続しているため、水供給用枝管部２１２の内部空間に過度の圧力が生じた場合でも、水抜栓２１６を介して水供給用枝管部２１２内の圧力が下げられる場合がある。このため、水供給用枝管部２１２には圧逃がし弁を設けずに、湯供給用枝管部２１１のみに圧逃がし弁２１５を設けることで、コスト低減を図りながら、圧力上昇を効果的に抑制することができる。
【００３８】
＜保温材＞
図２、３に示した保温材２２は、水栓本体部２１の外周を密着して覆う部材である。図２及び図３に示すように、保温材２２は、主管部２１０の外周において、主管部２１０の軸方向に沿って覆っており、リブ２１８ａからリブ２１８ａａの近傍までを覆う。
【００３９】
図８は、保温材２２の斜視図である。図９は、保温材２２を異なる角度から見た斜視図である。図８及び図９に示すように、保温材２２は、複数の開口２２０，２２１，２２２，２２３，２２４，２２５，２２６を有する。保温材２２の内部には水栓本体部２１が配置される。開口２２０には、湯供給用枝管部２１１が配置される。開口２２１には、水供給用枝管部２１２が配置される。開口２２２には、カラン吐水用枝管部２１３が配置される。開口２２３には、シャワー吐水用枝管部２１４が配置される。開口２２４には、圧逃がし弁２１５が配置される。開口２２５には、水抜栓２１６が配置される。開口２２６には、締結部２１９が配置される。
【００４０】
保温材２２には、例えば、熱伝導率が０．０５Ｗ／ｍ・Ｋ以下のものが好ましい。保温材２２は、より好ましくは、熱伝導率が０．０３Ｗ／ｍ・Ｋ以下である。保温材２２は、発泡ウレタン又は発泡スチロールのいずれかを含む。
【００４１】
＜支持部材＞
図４Ａ、４Ｂに示すように、支持部材２３は、水栓本体部２１をステー２４に固定することにより、水栓本体部２１を支持する。具体的には、支持部材２３は、主管部２１０において湯水混合弁３０が取り付けられる側（左側）と軸方向反対側（右側）の外周部を浴室の壁側に接続することにより、水栓本体部２１の主管部２１０を支持する。ここで、「浴室の壁側に接続する」とは、浴室の壁あるいは浴室の壁に固定された部材（湯供給源２７、水供給源２８を含む）に対して、直接的又は間接的に接続することを意味する。支持部材２３は、水栓本体部２１を水平に保つように支持する。本実施形態では、支持部材２３は、主管部２１０の外周部を浴室の壁側のステー２４に接続する。より具体的には、支持部材２３は、主管部２１０の外周部に取り付けられたカラー３４を、浴室の壁側のステー２４に接続する。これにより、支持部材２３は、カラー３４を介して間接的に、主管部２１０の外周部を浴室の壁側に接続する。
【００４２】
支持部材２３の上部には、凹部２３ａが設けられる。凹部２３ａは、シャワーエルボ２９を嵌めるために設けられる。シャワーホース（図示せず）を水栓本体部２１の右側で接続する場合、支持部材２３の凹部２３ａに対してシャワーエルボ２９を嵌めて取り付けることで、図２に示すように、水栓本体部２１の右側でシャワーホースをシャワーエルボ２９に接続することができる。水栓本体部２１の左側でシャワーホースを接続する場合には、後述する支持部材３５を用いる。
【００４３】
＜ステー＞
ステー２４は、浴室の壁に固定され、水栓本体部２１を保持する部材である。図３に示すように、ステー２４は、継手２６を湯供給源２７及び水供給源２８と接続するための開口を有する。ステー２４の右端部には、支持部材２３が着脱可能に取り付けられる。ステー２４の左端部には、支持部材３５が取り付けられる。支持部材３５は、シャワーエルボを水栓本体部２１の左側で固定するための部材である。支持部材３５の上部には、凹部３５ａが設けられる。
【００４４】
図１０は、シャワーホースを水栓本体部２１の左側で接続する場合の、水栓ユニット２０の内部の概略構成を示す斜視図である。シャワーホースを水栓本体部２１の左側で接続する場合、ステー２４に取り付けられた支持部材３５に対して、シャワーエルボ２９Ａを嵌めて取り付ける。
【００４５】
＜本体カバー＞
図２及び図３に示すように、本体カバー２５は、天板カバー２５０と基礎カバー２５１とを備える。本体カバー２５は、水栓本体部２１を上下に挟むように配置された状態で水栓本体部２１およびステー２４に取り付けられる。本体カバー２５は樹脂により形成される。
【００４６】
図１１は、本体カバー２５の側面図である。天板カバー２５０は、水栓本体部２１の上部を覆う部材である。基礎カバー２５１は、左右の側面及び底面を有し、水栓本体部２１の下部を覆う部材である。基礎カバー２５１は天板カバー２５０と分離して形成され、天板カバー２５０と嵌合する。本実施形態では、天板カバー２５０はアクリル樹脂（ＰＭＭＡ樹脂）により形成され、基礎カバー２５１はＡＢＳ樹脂により形成される。
【００４７】
基礎カバー２５１は、２つのカバー部材（第１のカバー部材２５４、第２のカバー部材２５６）により構成されている。それぞれのカバー部材について、図１２Ａ−図１４を用いて説明する。
【００４８】
図１２Ａ、１２Ｂはそれぞれ、第１のカバー部材２５４の下方斜視図、下面図である。図１３は、第２のカバー部材２５６の下面図である。図１４は、第１のカバー部材２５４と第２のカバー部材２５６が重ねられた状態の基礎カバー２５１およびその周辺部材の下面図である。
【００４９】
図１２Ａ、１２Ｂに示す第１のカバー部材２５４は、複数の開口を形成する板状の部材である。第１のカバー部材２５４には、第１の圧逃がし弁用開口２５４Ａ、水抜栓用開口２５４Ｂ、メンテナンス用開口２５４Ｃ、カラン吐水用開口２５４Ｄ、および、ネジ用開口２５４Ｅが形成されている。
【００５０】
第１の圧逃がし弁用開口２５４Ａは、前述した圧逃がし弁２１５に対応する位置に形成された開口である。具体的には、圧逃がし弁２１５（の排出口）の直下を含む位置で第１の圧逃がし弁用開口２５４Ａが開口している。このような第１の圧逃がし弁用開口２５４Ａを形成することで、本体カバー２５によって水栓本体部２１を覆った状態で、圧逃がし弁２１５から排出される排水を外部に排出することができる。これにより、水栓本体部２１と本体カバー２５の間の空間に排水が溜まることを防止し、水栓１０の意匠性を保ちながら、水栓１０の衛生を良好にすることができる。
【００５１】
水抜栓用開口２５４Ｂは、前述した水抜栓２１６に対応する位置に形成された開口である。具体的には、水抜栓２１６（の排出口）の直下を含む位置で水抜栓用開口２５４Ｂが開口している。このような水抜栓用開口２５４Ｂを形成することで、本体カバー２５によって水栓本体部２１を覆った状態で、水抜栓２１６から排出される水を外部に排出することができる。これにより、水栓本体部２１と本体カバー２５の間の空間に排水が溜まることを防止し、水栓１０の意匠性を保ちながら、水栓１０の衛生を良好にすることができる。
【００５２】
メンテナンス用開口２５４Ｃは、前述した止水栓６２、６４（図４Ｂ）に対応する位置に形成された開口である。具体的には、止水栓６２、６４（の排出口）の直下を含む位置でメンテナンス用開口２５４Ｃが開口している。このようなメンテナンス用開口２５４Ｃを形成することで、本体カバー２５によって水栓本体部２１を覆った状態で、メンテナンス用開口２５４Ｃを介してユーザが止水栓６２、６４にアクセスして操作することができる。これにより、ユーザの利便性を向上させることができる。
【００５３】
メンテナンス用開口２５４Ｃは、後述する第２のカバー部材２５６によって開閉可能に覆われる。
【００５４】
カラン吐水用開口２５４Ｄは、前述したカラン吐水用枝管部２１３に対応する位置に形成された開口である。具体的には、カラン吐水用枝管部２１３を挿通するようにカラン吐水用開口２５４Ｄが開口する。
【００５５】
ネジ用開口２５４Ｅ、２５４Ｆは、第１のカバー部材２５４を水栓本体部２１に固定するためのネジ３００（図２、図３）を通すための開口である。ネジ用開口２５４Ｅ、２５４Ｆに挿入されたネジ３００は、前述した水栓本体部２１の締結部２１９（図６）に接続される。これにより、第１のカバー部材２５４を含む本体カバー２５を水栓本体部２１に固定することができる。
【００５６】
メンテナンス用開口２５４Ｃと同様にネジ用開口２５４Ｅ、２５４Ｆも、後述する第２のカバー部材２５６によって開閉可能に覆われる。
【００５７】
図１２Ｂに示すように、第１のカバー部材２５４には、複数の取付部２５５が設けられている。取付部２５５は、第１のカバー部材２５４に第２のカバー部材２５６を着脱自在に取り付けるための部材である。本実施形態における取付部２５５は、複数の爪部／凹部によって構成されている。
【００５８】
図１３に示す第２のカバー部材２５６は、第１のカバー部材２５４の下方側を部分的に覆うように第１のカバー部材２５４に対して着脱可能に取り付けられる部材である。
【００５９】
第２のカバー部材２５６には、複数の取付部２５７が設けられている。取付部２５７が、前述した第１のカバー部材２５４の取付部２５５に嵌合することにより、第２のカバー部材２５６を第１のカバー部材２５４に着脱自在に取り付けることができる。本実施形態における取付部２５７は、取付部２５５に対応する複数の爪部／凹部によって構成されている。
【００６０】
第２のカバー部材２５６の形状は、第１のカバー部材２５４の第１の圧逃がし弁用開口２５４Ａ、メンテナンス用開口２５４Ｃおよびネジ用開口２５４Ｅ、２５４Ｆを覆い、水抜栓用開口２５４Ｂおよびカラン吐水用開口２５４Ｄを覆わない形状に構成されている。
【００６１】
図１３に示すように、第２のカバー部材２５６は、主部２５６Ａと、主部２５６Ａから延びる２つの副部２５６Ｂ、２５６Ｃとを備える。主部２５６Ａは、第１のカバー部材２５４のメンテナンス用開口２５４Ｃを覆う部分である。副部２５６Ｂは、第１のカバー部材２５４の第１の圧逃がし弁用開口２５４Ａおよびネジ用開口２５４Ｅに対向して配置される部分である。副部２５６Ｃは、第１のカバー部材２５４のネジ用開口２５４Ｆに対向して配置される部分である。
【００６２】
副部２５６Ｂが第１のカバー部材２５４のネジ用開口２５４Ｅを覆い、副部２５６Ｃが第１のカバー部材２５４のネジ用開口２５４Ｆを覆うことで、ネジ用開口２５４Ｅ、２５４Ｆを隠すことができる。これにより、水栓１０の意匠性を向上させることができる。
【００６３】
副部２５６Ｂには、第２の圧逃がし弁用開口２５６Ｄが形成されている。第２の圧逃がし弁用開口２５６Ｄは、前述した第１の圧逃がし弁用開口２５４Ａに対向する位置に設けられた開口である。このように、第１のカバー部材２５４に第１の圧逃がし弁用開口２５４Ａを形成するだけでなく、第２のカバー部材２５６にも第２の圧逃がし弁用開口２５６Ｄを形成している。これにより、第１のカバー部材２５４に第２のカバー部材２５６に取り付けた状態でも、圧逃がし弁２１５からの排水を確実に行うことができる。
【００６４】
本実施形態では、第１の圧逃がし弁用開口２５４Ａの開口面積が第２の圧逃がし弁用開口２５６Ｄの開口面積よりも大きくなるように設定している。具体的には、第１の圧逃がし弁用開口２５４Ａの直径が第２の圧逃がし弁用開口２５６Ｄの直径よりも長くなるように設定されている。このように、第１の圧逃がし弁用開口２５４Ａの外側にある第２の圧逃がし弁用開口２５６Ｄの開口面積を小さく設定することで、第２のカバー部材２５６の意匠性を向上させることができる。また、第２の圧逃がし弁用開口２５６Ｄの内側にある第１の圧逃がし弁用開口２５４Ａの開口面積を大きく設定することで、圧逃がし弁２１５から確実に排水することができる。
【００６５】
副部２５６Ｃには、ダミー開口２５６Ｅが形成されている。ダミー開口２５６Ｅは、第２の圧逃がし弁用開口２５６Ｄと対称な位置および同じ大きさに形成された開口である。ダミー開口２５６Ｅは、第１のカバー部材２５４の開口には対向しない。このようなダミー開口２５６Ｅを設けることで、第２のカバー部材２５６の平面視形状がより対称的となり、水栓１０の意匠性を向上させることができる。また、本体カバー２５の内側に水が溜まることをより抑制することができる。
【００６６】
＜吐水ブロック＞
次に、水栓本体部２１においてカラン吐水を行うための吐水ブロック８０について、図１５−２１を用いて説明する。
【００６７】
図１５は、吐水ブロック８０およびその周辺構成を示す一部拡大縦断面図である。図１５に示すように、吐水ブロック８０は、水栓本体部２１のカラン吐水用枝管部２１３に取り付けられる。
【００６８】
ここで、水栓本体部２１におけるカラン吐水用枝管部２１３の周辺構成について、図１６、１７を用いて説明する。図１６は、水栓本体部２１の下面図であり、図１７は、水栓本体部２１の横断面図である。図１６、１７では、水栓本体部２１以外の構成については適宜図示を省略している。また、吐水ブロック８０の図示も省略している。
【００６９】
図１６に示すように、カラン吐水用枝管部２１３は、下面視において大略楕円形の形状を有する。カラン吐水用枝管部２１３の内側には、主管部２１０の外周部に形成されたカラン吐水用開口２１０ｃが露出している。カラン吐水用開口２１０ｃは下面視において、カラン吐水用枝管部２１３の中央部から横方向（左右方向。矢印Ｙ１参照）に偏心した位置に形成されている。カラン吐水用開口２１０ｃに連通するように吐水ブロック８０が取り付けられる。
【００７０】
カラン吐水用枝管部２１３の両隣には、ネジ受け部８２が設けられている。ネジ受け部８２には、後述するネジ８５（図１８）が螺合される。ネジ受け部８２にネジ８５を螺合させることで、吐水ブロック８０を水栓本体部２１に固定することができる。ネジ受け部８２には、ネジ８５のネジ山を受けるネジ溝（図示せず）が形成されている。
【００７１】
次に、吐水ブロック８０について、図１８−２１を用いて説明する。図１８は、吐水ブロック８０の分解斜視図である。図１９、図２０、図２１はそれぞれ、吐水ブロック８０の本体部８４の上面図、下面図、下方斜視図である。
【００７２】
図１８に示すように、吐水ブロック８０は、本体部８４と、ネジ８５と、ストレーナ８６と、キャップ８８とを備える。
【００７３】
本体部８４は、吐水ブロック８０の本体を構成する筒状の部材である。本体部８４の上流端部には上流側開口９０Ａ（図１８、図１９）が形成されており、下流端部には下流側開口９０Ｂ（図１９、図２０、図２１）が形成されている。上流側開口９０Ａおよび下流側開口９０Ｂは互いに連通しており、カラン吐水用の流路を形成している。上流側開口９０Ａは、前述したカラン吐水用管部２１３の内側にあるカラン吐水用開口２１０ｃに向かい合う位置に配置される。
【００７４】
本体部８４には、側方に延びるフランジ部９２が２箇所設けられている。フランジ部９２にはそれぞれ挿通孔９４が形成されている。挿通孔９４は、ネジ８５を挿通するための開口である。挿通孔９４にネジ８５が挿通された状態で、ネジ８５が水栓本体部２１のネジ受け部８２（図１６）に螺合される。
【００７５】
本体部８４の内部には整流部８７（図１９、図２０、図２１）が設けられている。整流部８７は、本体部８４を流れる水を整流するための部材である。本実施形態における整流部８７は本体部８４と一体的に形成されている。具体的には、同一の樹脂材料を用いた射出成形によって、本体部８４および整流部８７が樹脂により一体に形成される。
【００７６】
ストレーナ８６は、本体部８４を流れる水の量を調節するための網状の部材である。ストレーナ８６は、本体部８４とキャップ８８の間に設けられる。
【００７７】
キャップ８８は、本体部８４の下流側を覆う筒状の部材である。キャップ８８は、本体部８４に螺合される。キャップ８８の下端部には開口（図示せず）が形成されており、当該開口を介して本体部８４の下流側開口９０Ｂが露出する。下流側開口９０Ｂは、吐水ブロック８０の吐水口を構成する。
【００７８】
このような構成を有する吐水ブロック８０は、水栓本体部２１のカラン吐水用開口２１０ｃから偏心した位置で吐水を行う。具体的には、吐水ブロック８０がカラン吐水用管部２１３に取り付けられた状態において、水栓本体部２１のカラン吐水用開口２１０ｃに対して、本体部８４の下流側開口９０Ｂが軸方向（Ｙ方向）に偏心した位置に設けられる。このような構成により、カラン吐水用開口２１０ｃが水栓本体部２１の中央からずれた位置にあっても、カラン吐水用開口２１０ｃの位置に関わらず、吐水ブロック８０下流側開口９０Ｂから所望の位置で吐水を行うことができる。
【００７９】
特に本実施形態では、吐水ブロック８０がカラン吐水用管部２１３に取り付けられた状態において、本体部８４の下流側開口９０Ｂが、カラン吐水用管部２１３のカラン吐水用開口２１０ｃに対して軸方向において水栓本体部２１の中央側に偏心した位置に設けられる。これにより、水栓本体部２１の中央側から吐水することができ、水栓１０の意匠性を向上させることができる。
【００８０】
また本実施形態では、吐水ブロック８０がカラン吐水用管部２１３に取り付けられた状態において、本体部８４の下流側開口９０Ｂが、当該開口に垂直な方向から見たときに、カラン吐水用管部２１３のカラン吐水用開口２１０ｃに重ならない位置に配置されている。このようにして吐水位置を大きく調整することができる。
【００８１】
＜ハンドルユニット＞
図１に示すように、ハンドルユニット５０は、第１ハンドルユニット５０ａと、第２ハンドルユニット５０ｂとを備える。
【００８２】
本実施形態では、第１ハンドルユニット５０ａは、吐水の温度を調節するためのユニットである。具体的には、第１ハンドルユニット５０ａをＲ方向に回転させることで、吐水の温度を調節する。例えば、基準位置から下方向への回転により吐水の温度を下げ、基準位置から上方向への回転により吐水の温度を上げる。
【００８３】
第１ハンドルユニット５０ａが基準位置にある状態では、吐水の温度は所定の温度設定されている。第１ハンドルユニット５０ａが基準位置から上方向へ回転した場合、第１ハンドルユニット５０ａと共に湯水混合弁３０（図３）が上方向に回転する。これにより、水の量に対する湯の量の割合が増加し、吐水の温度が所定の温度よりも上がる。一方、第１ハンドルユニット５０ａが基準位置から下方向へ回転した場合、第１ハンドルユニット５０ａと共に湯水混合弁３０が下方向に回転する。これにより、湯の量に対する水の量の割合が増加し、吐水の温度が所定の温度よりも下がる。
【００８４】
第２ハンドルユニット５０ｂは、吐水方向（カラン吐水またはシャワー吐水）および吐水量を回転により変更するためのユニットである。具体的には、第２ハンドルユニット５０ｂにおける基準位置からの回転方向Ｒを変更することで、吐水方向を変更する。例えば、基準位置から下方向への回転によりカラン吐水用枝管部２１３からカラン吐水が行われ、基準位置から上方向への回転によりシャワー吐水用枝管部２１４からシャワー吐水が行われる。さらに、基準位置からの回転の度合いを変更することで、吐水量を変更する。例えば、第２ハンドルユニット５０ｂの基準位置からの回転量を増やした場合、吐水量が増加する。
【００８５】
［効果］
＜圧逃し弁＞
上述したように、本実施形態の水栓１０は、水栓本体部２１を備え、水栓本体部２１の内部には、湯及び水を混合する湯水混合弁３０と、湯水混合弁３０で混合した湯水の吐水量及び吐水方向を変更する切替弁３１と、が内部に設けられている。水栓本体部２１は樹脂により構成され、水栓本体部２１には圧逃がし弁２１５が取り付けられる。
【００８６】
このような構成によれば、水栓本体部２１を樹脂で構成することで、水栓１０の製造コストを低減することができる。一方で、金属よりも強度の低い樹脂で構成しても、水栓本体部２１に圧逃がし弁２１５を取り付けているため、水栓本体部２１内の水の圧力が過度に上昇したときでもその圧力を下げることができる。これにより、水栓本体部２１の破損リスクを低減することができる。
【００８７】
また、本実施形態では、水栓本体部２１はさらに、主管部２１０と、湯供給用枝管部２１１と、水供給用枝管部２１２とを備える。主管部２１０は、湯水混合弁３０および切替弁３１を内包する筒状の部材である。湯供給用枝管部２１１は、主管部２１０から分岐して湯供給源２７からの湯を主管部２１０へ供給する流路を内部に形成した部材である。水供給用枝管部２１２は、主管部２１０から分岐して水供給源２８からの水を主管部２１０へ供給する流路を内部に形成した部材である。本実施形態では、圧逃がし弁２１５は、湯供給用枝管部２１１に取り付けられる。
【００８８】
この構成によれば、湯供給用枝管部２１１は水栓本体部２１において最も上流側に位置しており、ウォーターハンマー現象などによって圧力が高くなりやすい場所である。このような湯供給用枝管部２１１に圧逃がし弁２１５を設けることで、圧力上昇を効果的に抑制することができ、水栓本体部２１の破損リスクをより低減することができる。
【００８９】
また、本実施形態では、湯供給用枝管部２１１の上流側端部および水供給用枝管部２１２の上流側端部にはそれぞれ逆止弁７０、７２が取り付けられている。
【００９０】
この構成によれば、圧逃がし弁２１５よりも上流側に逆止弁７０を取り付けることで、圧力が高くなりやすい場所に圧逃がし弁２１５を配置して圧力の上昇を効果的に抑制することができる。これにより、水栓本体部２１の破損リスクをより低減することができる。
【００９１】
また、本実施形態では、水供給用枝管部２１２には水抜栓２１６が取り付けられており、圧逃がし弁２１５は湯供給用枝管部２１１のみに取り付けられる。この構成によれば、水供給用枝管部２１２には水抜栓２１６があるため、過度の圧力が生じた場合に水抜栓２１６を介して水供給用枝管部２１２の圧力が低下する場合がある。これより、水供給用枝管部２１２ではなく湯供給用枝管部２１１に圧逃がし弁２１５を設けることで、過度な圧力が生じやすい湯供給用枝管部２１１での圧力上昇を効果的に抑制することができる。また圧逃がし弁２１５を湯供給用枝管部２１１のみに取り付けることで、湯供給用枝管部２１１と水供給用枝管部２１２の両方に圧逃がし弁を設けた場合に比べて、水栓１０の製造コストを低減することができる。
【００９２】
また、本実施形態では、主管部２１０における湯水混合弁３０と切替弁３１が連通する箇所の内周部にリブ２１８ｃを設けている。この構成によれば、リブ２１８ｃを設けて流路を狭くすることで、主管部２１０において水が溜まるスペースを縮小することができ、水の凍結によって主管部２１０が割れる可能性を低減することができる。
【００９３】
＜本体カバーの開口＞
上述したように、本実施形態の水栓１０は、水栓本体部２１を備え、水栓本体部２１の内部には、湯及び水を混合する湯水混合弁３０と、湯水混合弁３０で混合した湯水の吐水量及び吐水方向を変更する切替弁３１と、が内部に設けられている。本実施形態の水栓１０はさらに、水栓本体部２１を少なくとも部分的に覆うように水栓本体部２１に外側から取り付けられる本体カバー２５を備える。水栓本体部２１には圧逃がし弁２１５が取り付けられており、本体カバー２５には、圧逃がし弁２１５の直下を含む位置に圧逃がし弁用開口２５４Ａ、２５６Ｄが形成される。
【００９４】
この構成によれば、水栓本体部２１に圧逃がし弁２１５を取り付けることで、水栓本体部２１内の流路に過度の圧力が生じたときでもその圧力を下げることができ、水栓本体部２１の破損リスクを低減することができる。また本体カバー２５において、圧逃がし弁２１５に対応する位置に圧逃がし弁用開口２５４Ａ、２５６Ｄを形成することで、本体カバー２５によって水栓本体部２１を部分的に覆った状態で、圧逃がし弁２１５からの排水を確実に排出することができる。これにより、水栓１０の衛生を良好に保つことができる。
【００９５】
また、本実施形態では、圧逃がし弁２１５は、水栓本体部２１の下側に取り付けられており、本体カバー２５は、水栓本体部２１の下側を少なくとも部分的に覆うように設けられる。この構成によれば、圧逃がし弁２１５を目立たない位置に配置しながら本体カバー２５によって覆うことができ、水栓１０の意匠性を向上させることができる。
【００９６】
また、本実施形態では、本体カバー２５は、第１のカバー部材２５４と、第２のカバー部材２５６とを備える。第１のカバー部材２５４は、第１の圧逃がし弁用開口２５４Ａを構成する第１の開口２５４Ａ、および、第１の開口２５４Ａとは別のメンテナンス用開口２５４Ｃを形成した部材である。第２のカバー部材２５６は、第１のカバー部材２５４のメンテナンス用開口２５４ｃを開閉するように第１のカバー部材２５４の外側に取り付けられる部材である。第２のカバー部材２５６はさらに、第１の圧逃がし弁用開口２５４Ａに対応する位置に第２の圧逃がし弁用開口２５６Ｄを形成している。
【００９７】
この構成によれば、メンテナンス用開口２５４ｃを設けるとともにメンテナンス用開口２５４ｃを開閉可能とすることで、ユーザが必要なときに水栓本体部２１のメンテナンスを行うことができる。これにより、ユーザの利便性を向上させることができる。また、第１のカバー部材２５４と第２のカバー部材２５６のそれぞれに第１の圧逃がし弁用開口２５４Ａと第２の圧逃がし弁用開口２５６Ｃを形成することで、第２のカバー部材２５６の開閉状態にかかわらず、圧逃がし弁２１５の排水を確実に排水できる。
【００９８】
また、本実施形態では、第１の開口２５４Ａの開口面積は、第２の開口２５６Ｄの開口面積よりも大きく設定される。この構成によれば、本体カバー２５の意匠性を向上させながら、圧逃がし弁２１５の排水を確実に廃棄することができる。
【００９９】
また、本実施形態における水栓１０は、浴室の壁面から延びて水栓本体部２１に接続される湯供給源２７（給湯管）と水供給源２８（給水管）をさらに備える。湯供給源２７および水供給源２８にはそれぞれ止水栓６２、６４が設けられている。第１のカバー部材２５４のメンテナンス用開口２５４ｃは、湯供給源２７の止水栓６２および水供給源２８の止水栓６４に向かい合う位置を含んで開口している。この構成によれば、ユーザは第２のカバー部材２５６を開閉することで、必要なときに止水栓６２、６４を操作することができ、ユーザの利便性を向上させるとともに、水栓１０の意匠性を向上させることができる。また第２のカバー部材２５６を閉じているときは、湯供給源２７および水供給源２８へのアクセスが制限される。このため、ユーザの手が湯供給源２７に誤って触れることを防止することができ、火傷の防止につながる。
【０１００】
また、本実施形態では、水栓本体部２１には水抜栓２１６が設けられており、本体カバー２５には、水抜栓２１６に対応する位置に水抜栓用開口２５４Ｂが形成される。この構成によれば、水抜栓２１６からの排水をより確実に廃棄することができる。
【０１０１】
＜吐水ブロック＞
上述したように、本実施形態の水栓１０は、筒状の主管部２１０を備え、主管部２１０の内部には、湯及び水を混合する湯水混合弁３０と、湯水混合弁３０で混合した湯水の吐水量及び吐水方向を変更する切替弁３１と、が軸方向に並んで設けられている。主管部２１０には、切替弁３１に連通するカラン吐水用開口２１０ｃが形成されている。水栓１０はさらに、吐水ブロック８０を備える。吐水ブロック８０は、主管部２１０のカラン吐水用開口２１０ｃに連通するように主管部２１０に取り付けられ、カラン吐水用の流路を形成し、末端に下流側開口９０Ｂ（吐水口）を形成した部材である。吐水ブロック８０が主管部２１０に取り付けられた状態において、吐水ブロック８０の下流側開口９０Ｂは、主管部２１０のカラン吐水用開口２１０ｃに対して偏心した位置に配置される。
【０１０２】
この構成によれば、主管部２１０のカラン吐水用開口２１０ｃの位置に関わらず、吐水ブロック８０の下流側開口９０Ｂを任意の位置に設定することができる。これにより、水栓１０の好適な位置から吐水を行うことができ、水栓１０のデザインをより自由に設計することができる。
【０１０３】
また、本実施形態では、吐水ブロック８０が主管部２１０に取り付けられた状態において、吐水ブロック８０の下流側開口９０Ｂおよび主管部２１０のカラン吐水用開口２１０ｃは下方に向けて開口し、かつ、軸方向に互いに偏心した位置に設けられる。この構成によれば、吐水ブロック８０を下方に配置することで、デザイン性を高めるとともにカラン吐水を下方に向けることができる。また吐水ブロック８０の下流側開口９０Ｂと主管部２１０のカラン吐水用開口２１０ｃを軸方向に偏心して位置させることで、カラン吐水用開口２１０ｃの位置に関わらず、吐水ブロック８０の吐水口の位置を所望の左右位置に設定することができる。
【０１０４】
また、本実施形態では、吐水ブロック８０が主管部２１０に取り付けられた状態において、吐水ブロック８０の下流側開口９０Ｂは、主管部２１０のカラン吐水用開口２１０ｃに対して軸方向において主管部２１０の中央側に偏心した位置に設けられる。この構成によれば、吐水ブロック８０の吐水口である下流側開口９０Ｂを主管部２１０の中央側に寄せることで、水栓１０のデザイン性を向上させることができる。
【０１０５】
また、本実施形態では、吐水ブロック８０は、主管部２１０に取り付けられる中空状の本体部８４と、本体部８４内に設けられる整流部８７とを備える。本体部８４および整流部８７は樹脂により一体に構成される。この構成によれば、整流部８７を備えることで、吐水ブロック８０からより好適な吐水を行うことができる。また吐水ブロック８０を樹脂により一体に構成することで、金属などで構成した場合に比べて、水栓１０の製造コストを低減することができる。
【０１０６】
なお、本発明は前記実施形態に限定されるものではなく、その他種々の態様で実施できる。例えば、前記実施形態では、吐水ブロック８０の下流側開口９０Ｂおよび主管部２１０のカラン吐水用開口２１０ｃは下方に向けて開口し、上面視で互いに左右方向に偏心した位置に設けられるとしたが、このような場合に限らない。例えば、吐水ブロック８０の下流側開口９０Ｂおよび主管部２１０のカラン吐水用開口２１０ｃが下方以外の方向に向けて開口してもよく、また、上面視とは異なる方向から見たときに互いに左右方向に偏心した位置に設けられてもよい。ただし、吐水ブロック８０の下流側開口９０Ｂおよび主管部２１０のカラン吐水用開口２１０ｃが下方に向けて開口し、上面視で互いに左右方向に偏心した位置に設けた方が、カラン吐水を下方に向けながら、水栓１０の意匠性を向上させることができる。
【０１０７】
また、前記実施形態では、吐水ブロック８０の下流側開口９０Ｂは上面視で、主管部２１０のカラン吐水用開口２１０ｃに対して左右方向に主管部２１０の中央側に偏心した位置に設けられる場合について説明したが、このような場合に限らない。例えば、主管部２１０の中央側とは反対側に偏心した位置に設けてもよい。ただし、主管部２１０の中央側に偏心した位置に設けた方が、水栓１０のデザイン性を向上させることができる。
【０１０８】
また、前記実施形態では、吐水ブロック８０が、中空状の本体部８４と、整流部８７とを備え、本体部８４および整流部８７は樹脂により一体に構成される場合について説明したが、このような場合に限らない。例えば、樹脂とは異なる材料により本体部８４および整流部８７が構成されてもよい。また、本体部８４および整流部８７が別個の部材であってもよい。さらに、吐水ブロック８０は整流部８７を備えない場合であってもよい。ただし、吐水ブロック８０が、中空状の本体部８４と、整流部８７とを備え、本体部８４および整流部８７が樹脂により一体に構成された方が、吐水ブロック８０からより好適な吐水を行いつつ、水栓１０の製造コストを低減することができる。
【０１０９】
また、前記実施形態では、圧逃がし弁２１５を湯供給用枝管部２１１に取り付ける場合について説明したが、これに限らない。例えば、圧逃がし弁２１５を水供給用枝管部２１２に取り付けてもよい。あるいは、圧逃がし弁２１５を湯供給用枝管部２１１および水供給用枝管部２１２とは異なる位置の水栓本体部２１に接続してもよい。例えば、図２２に示すように、水栓本体部２１の主管部２１０に圧逃がし弁９０を取り付けてもよい。図２２に示す例では、主管部２１０における湯水混合弁３０と切替弁３１が連通する箇所に接続するように、主管部２１０の外周部に圧逃がし弁９０が取り付けられる。このような場合であっても、圧逃がし弁９０によって主管部２１０内の圧力上昇を効果的に抑制することができる。このように、圧逃がし弁を水栓本体部２１の流路における任意の位置に接続するように設けてもよい。
【０１１０】
本発明は、添付図面を参照しながら好ましい実施形態に関連して充分に記載されているが、この技術の熟練した人々にとっては種々の変形や修正は明白である。そのような変形や修正は、添付した特許請求の範囲による本発明の範囲から外れない限りにおいて、その中に含まれると理解されるべきである。また、実施形態における要素の組み合わせや順序の変化は、本発明の範囲および思想を逸脱することなく実現し得るものである。
【産業上の利用可能性】
【０１１１】
本発明は、水栓に有用である。
【符号の説明】
【０１１２】
１０  水栓
２０  水栓ユニット
２１  水栓本体部
２１０  主管部
２１０ａ  湯流入口
２１０ｂ  水流入口
２１０ｃ  カラン吐水用開口
２１０ｄ  シャワー吐水用開口
２１１  湯供給用枝管部
２１２  水供給用枝管部
２１３  カラン吐水用枝管部
２１３ａ  整流部
２１４  シャワー吐水用枝管部
２１５  圧逃がし弁
２１６  水抜栓
２１７  ネジ溝
２１８ａ，２１８ａａ，２１８ｂ  リブ
２１９  締結部
２２  保温材
２２０，２２１，２２２，２２３，２２４，２２５，２２６  開口
２３  支持部材
２３ａ  凹部
２４  ステー
２５  本体カバー
２５０  天板カバー
２５１  基礎カバー
２６  継手
２７  湯供給源（給湯管）
２８  水供給源（給水管）
２９，２９Ａ  シャワーエルボ
２９ａ  接続部材
３０  湯水混合弁
３１  切替弁
３２  ギア部
３３  キャップ部材
３４  カラー
３５  支持部材
３５ａ  凹部
５０  ハンドルユニット
５０ａ  第１ハンドルユニット
５０ｂ  第２ハンドルユニット
６９  水抜栓
７０、７２  逆止弁
２５４  第１のカバー部材
２５４Ａ  第１の圧逃がし弁用開口
２５４Ｂ  水抜栓用開口
２５４Ｃ  メンテナンス用開口
２５４Ｄ  カラン吐水用開口
２５４Ｅ、２５４Ｆ  ネジ用開口
２５５  取付部
２５６  第２のカバー部材
２５６Ａ  主部
２５６Ｂ、２５６Ｃ  副部
２５６Ｄ  第２の圧逃がし弁用開口
２５６Ｅ  ダミー開口
２５７  取付部
８０  吐水ブロック
８２  ネジ受け部
８４  本体部
８５  ネジ
８６  ストレーナ
８７  整流部
８８  キャップ
９０Ａ  上流側開口
９０Ｂ  下流側開口（吐水口）
９２  フランジ部
９４  挿通孔
【図１】
2019082068.tif 000003
【図２】
2019082068.tif 000004
【図３】
2019082068.tif 000005
【図４Ａ】
2019082068.tif 000006
【図４Ｂ】
2019082068.tif 000007
【図４Ｃ】
2019082068.tif 000008
【図５】
2019082068.tif 000009
【図６】
2019082068.tif 000010
【図７】
2019082068.tif 000011
【図８】
2019082068.tif 000012
【図９】
2019082068.tif 000013
【図１０】
2019082068.tif 000014
【図１１】
2019082068.tif 000015
【図１２Ａ】
2019082068.tif 000016
【図１２Ｂ】
2019082068.tif 000017
【図１３】
2019082068.tif 000018
【図１４】
2019082068.tif 000019
【図１５】
2019082068.tif 000020
【図１６】
2019082068.tif 000021
【図１７】
2019082068.tif 000022
【図１８】
2019082068.tif 000023
【図１９】
2019082068.tif 000024
【図２０】
2019082068.tif 000025
【図２１】
2019082068.tif 000026
【図２２】
2019082068.tif 000027